(57)【要約】      （修正有）【課題】利用者が常時携行できるほどコンパクトで、食材や食品などを提供する施設や料理を提供する施設などで利用する場合でも容器の形成が容易で、食材や食品や料理を詰めての持ち帰りの後に、洗浄が容易で、繰り返しの使用に耐え、殺菌処理が容易な折畳み式携帯用食品容器を提供する。【解決手段】箱状容器は箱状になるように設計され製造した金型を用いてプレス手段を介して成形された箱状形成シート体ＢＸ１より成り、箱状形成シート体ＢＸ１は略０．５ｍｍ厚のポリプロピレンフィルムまたはシートより成り、箱状形成シート体ＢＸ１の箱状形成手段が箱状形成シート体ＢＸ１の表面または裏面に設けた折曲げ線Ｌ１からＬ２０でありまた折曲げ線を変形した形で形成した第一斜線ＯＬ１からＯＬ４を用いて折り曲げ形成することで箱状容器ＢＸが形成され、折曲げ線Ｌ１からＬ２０の中から選択された折曲げ線を用いて箱状形成シート体ＢＸ１を所定形状に折畳めるようにした。【選択図】図１
0003148783.tif 000002
【実用新案登録請求の範囲】
【請求項１】
食材や食品や料理を提供する施設において、消費者が食材や食品や料理の一部を持ち帰るために使用する容器であり、前記容器が箱状になるような形成手段を設けたシート体より成り、前記シート体は所定形状で所定厚みに成るよう形成され、前記箱状形成手段が前記シート体に一つ以上設けた折曲げ線であり、前記折曲げ線の中から選択した一つ以上の折曲げ線を前記シート体を所定形状に折畳めるようにした折畳み手段として用いることを特徴とする、折畳み式携帯用食品容器。
【請求項２】
前記箱状形成シート体が、前記の食材や食品や料理の一部を収納する箱状の底面である方形の底面部と、この底面部の第１の方向である一側に第１折曲げ線を介して設けた第１側面部と、この第１側面部の一側に第２折曲げ線を介して設けた第１フタ部と、この第１フタ部の一側に第３折曲げ線を介して設けた第１把手部と、この第１把手部には任意形状の第１切欠き部と、前記底面部の第２の方向である他側に第４折曲げ線を介して設けた第２側面部と、この第２側面部の他側に第５折曲げ線を介して設けた第２フタ部と、この第２フタ部の他側に第６折曲げ線を介して設けた第２把手部と、この第２把手部には任意形状の第２切欠き部と、前記底面部の第３の方向である一縁に第７折曲線を介して設けた第３側面部と、この第３側面部の一側に第８折曲げ線を介して設けた第１把手部保持部と、この第１把手部保持部に形成された第１スリットと、前記底面部の第４の方向である他縁に第９折曲げ線を介して設けた第４側面部と、この第４側面部の他側に第１０折曲げ線を介して設けた第２把手部保持部と、この第２把手部保持部に形成された第２スリットと、前記第１側面部と前記第３側面部を第１方向側に垂直に設けた第１１折曲げ線を介し第３方向側に垂直に設けた第１２折曲げ線を介して接続される第１山折り部と、この第１山折り部には前記箱状の内側に山折りさせる第１斜線と、前記第１側面部と前記第４側面部を第１方向側に垂直に設けた第１３折曲げ線を介し第４方向側に垂直に設けた第１４折曲げ線を介して接続される第２山折り部と、この第２山折り部には前記箱状の内側に山折りさせる第２斜線と第１方向側に第１５折曲げ線を介して設けた前記箱状を保持させる第１挿込み部と、前記第２側面部と前記第４側面部を第２方向側に垂直に設けた第１６折曲げ線を介し第４方向側に垂直に設けた第１７折曲げ線を介して接続される第３山折り部と、この第３山折り部には前記箱状の内側に山折りさせる第３斜線と、前記第２側面部と前記第３側面部を第２方向側に垂直に設けた第１８折曲げ線を介し第３方向側に垂直に設けた第１９折曲げ線を介して接続される第４山折り部と、この第４山折り部には前記箱状の内側に山折りさせる第４斜線と第２方向側に第２０折曲げ線を介して設けた前記箱状を保持させる第２挿込み部と、を有して成ることを特徴とする、請求項１に記載の折畳み式携帯用食品容器。
【請求項３】
前記箱状形成シート体の折畳み手段が、該第２折曲げ線を用いて該第１側面部の内面と該第１フタ部の内面と該第１把手部の内面とが略同時に接するように折畳み、該第１５折曲げ線を用いて該第２山折り部の内面と該第１挿込み部の内面とが接するように折畳み、該第５折曲げ線を用いて該第２側面部の内面と該第２フタ部の内面と該第２把手部の内面とが略同時に接するように折畳み、該第２０折曲げ線を用いて該第４山折り部の内面と該第２挿込み部の内面とが接するように折畳み、該第８折曲げ線を用いて該第３側面部の内面と該第１把手部保持部の内面とが接するように折畳み、該第１０折曲げ線を用いて該第４側面部の内面と該第２把手部保持部の内面とが接するように折畳み、該第１２折曲げ線を用いて該第１山折り部の内面と該第１把手部保持部の外面とが接するように折畳み、該第１折曲げ線を用いて該底面部と該第１フタ部の外面と該第１把手部の外面とが略同時に接するように折畳み、該第１４折曲げ線を用いて該第１挿込み部の外面と該第２把手部保持部の外面とが接するように折畳み、該第１９折曲げ線を用いて該第２挿込み部の外面と該第１山折り部の外面とが接するように折畳み、該第４折曲げ線を用いて該第１側面部の外面と該第２フタ部の外面と該第２把手部の外面とが略同時に接するように折畳み、該第１７折曲げ線を用いて該第３山折り部の内面と該第２山折り部の外面とが接するように折畳み、該第１８折曲げ線と該第１１折曲げ線と該第７折曲げ線とを用いて該第４山折り部の外面と該第２側面部の外面とが接するように折畳み、該第１６折曲げ線と該第１３折曲げ線と該第９折曲げ線とを用いて該第３山折り部の外面と該第３側面部の外面とが接するように折畳む、ことを特徴とする、請求項１または請求項２に記載の折畳み式携帯用食品容器。
【請求項４】
前記シート体を前記所定形状に成るような折畳み手段を介して折畳んだシート折畳み体には、前記所定形状を保持するための手段を設けたことを特徴とする、請求項１及び請求項３に記載の折畳み式携帯用食品容器。
【請求項５】
前記シート体または前記シート折畳み体または前記箱状形成体を電子レンジで少なくとも１０秒以上殺菌処理することを可能にしかつ耐水性を有する素材で形成させたことを特徴とする、請求項１から請求項４のいずれかに記載の折畳み式携帯用食品容器。
【考案の詳細な説明】
【技術分野】
【０００１】  本考案は、食材や食品や料理を提供する施設において、消費者が食材や食品や料理の一部を持ち帰るために使用する容器であり、前記容器が箱状になるような形成手段を設けたシート体より成り、前記シート体は所定形状で所定厚みに成るよう形成され、前記箱状形成手段が前記シート体に一つ以上設けた折曲げ線であり、前記折曲げ線の中から選択した一つ以上の折曲げ線を前記シート体を所定形状に折畳めるようにした折畳み手段として用いることを特徴とする、折畳み式携帯用食品容器に関するものである。
【背景技術】
【０００２】  従来から、食材や食品などを提供する施設（コンビニエンスストアやスーパーやデパートや食材販売店や食品販売店など）での食材や食品の売り場において、一部の食材や食品を量り売りしたり、消費者が直接容器に入れるようになっていて備え付けの容器（使い捨てタイプの袋類や使い捨てタイプの箱類）に持ち帰るようになっている販売手段が知られている。
また、従来から、料理を提供する施設（レストラン（和・洋・中華・その他アジア・中東・中南米）、ホテル、デパート、旅館、イベント会場、コンベンション施設、各種式場（冠婚葬祭）、学校（小学校・中学校・高校・大学・専門学校）など）での料理を提供する場において提供される料理の一部が残る場合には廃棄物として処理され、処理責任者としての自治体の大きな負担となっているばかりか、焼却処分される場合には、地球温暖化の一因になっていることが知られている。【０００３】  そこで、近年になると、上述した問題点を改善しようとして、以下のような開発案件が増加してきた。
例えば、コロッケや、餃子、チキンや各種揚げ物などの食品を包装する分野に使用される食品用包装体において、消費者が臭気が他に移ることを懸念することなく、持ち帰りが可能であり、食材のいろいろな臭気がお互いに混ざり難く、高い保香性を有し、食品のおいしさを高いレベルで保持可能な、特に消臭性に優れる、耐油性と耐水性を有する食品用包装体を提供することを目的とし、解決手段として、消臭成分を配合した厚紙容器と、１００％バージンパルプからなる薄紙耐水・耐油袋を組み合わせてなる、食品用包装体が知られている。（特開２００６−６２６９６号公報を参照する）【０００４】  また例えば、廃棄物の焼却を減少させ、ごみ焼却による地球の環境の悪化の防止を目的とし、デパート、又は、スーパーマーケット等の食品売場にて何回でも簡単に使用でき、使用後も廃棄せず、かつ収納して再び持ち運びして使用できる環境に優しいエコバッグの提供を課題とし、解決手段として、袋バッグの円周縁部に適合させ各々縫い込んだ袋バッグ拡張作用のピアノ線により、誰にでもカゴの内面に簡単に広げられ、かつ、袋バッグの不使用時には、ピアノ線を重ねて、袋バッグを最小に巻いて折り畳み、携帯用カバンに収納する構成とするエコエコバッグが知られている。（特開２００２−１４２８３１号公報を参照する）【０００５】  また例えば、従来のプラスチック製の簡易容器の形状保持性とともに耐熱性、耐水性を有しておりながら、紙製容器に匹敵するエコロジー性を有する加工食品の収納持ち帰りに適した簡易容器を得ることを課題とし、解決手段として、プラスチック製簡易容器の発泡プラスチック製の枠材に代えて内面を耐熱、耐水加工を施した紙製の枠材を使用し、この枠材に耐熱性のプラスチック成型薄板を装着したもので、これによって、プラスチック消費量を半分以下に低減することができ、使用する紙材としては、板紙などの紙容器用の通常の紙材を任意の形態で使用でき、その紙材としては、例えば、外面に装飾加工を施し、内面に耐熱プラスチックコーティングを施した厚紙、あるいは、厚みのある２重折りにして、従来の発泡プラスチック製の枠材と同様の感触を付与したもの等を使用できる、簡易食品容器が知られている。（特開平１１−３３４７２０号公報を参照する）
【考案の開示】
【考案が解決しようとする課題】
【０００６】  ところが、上述した、食材や食品などを提供する施設、料理を提供する施設において、消費者や利用者が食材や食品や料理の一部を持ち帰るために使用する容器に関しては、一般的にはプラスチック類で作成した使い捨てタイプの容器が多く、その多くは基本的には耐久性は考慮されておらず、その結果一度利用された後に廃棄処分されその多くは焼却処分される。そして、現在その消費量は、相当の量であるため、その燃焼に際してそれ自体が地球温暖化の源となっていることが知られている。また、一部の消費者や利用者の中には、「もったいない」からという理由で２回から３回程度洗って再利用する消費者も存在することが報告されているが、まだまだ少数派であるところが課題となっている。【０００７】  また例えば、特開２００６−６２６９６号公報の開発案件では、持ち帰りが可能であり、消臭成分を配合した厚紙容器と、１００％バージンパルプからなる薄紙耐水・耐油袋を組み合わせてなる、食品用包装体の開発案件では、再使用するための殺菌処理や抗菌処理への対応策が示されておらず、この案件を利用することに関して不安を感じるという報告が成されている。
また例えば、特開２００２−１４２８３１号公報のエコエコバッグの開発案件では、デパート、又は、スーパーマーケット等の食品売場にて何回でも簡単に使用でき、使用後も廃棄せず、かつ収納して再び持ち運びして使用できる環境に優しいエコバッグの提供を課題とし、解決手段として、袋バッグの円周縁部に適合させ各々縫い込んだ袋バッグ拡張作用のピアノ線により、誰にでもカゴの内面に簡単に広げられ、かつ、袋バッグの不使用時には、ピアノ線を重ねて、袋バッグを最小に巻いて折り畳み、携帯用カバンに収納する構成を特徴とするが、この案件を所定回数再使用した後に廃棄する時期が来たときに、袋バッグとピアノ線との分別が大変だという消費者の声が報告されている。
また例えば、特開平１１−３３４７２０号公報のプラスチック製簡易食品容器の開発案件では、プラスチック製簡易容器の発泡プラスチック製の枠材に代えて内面を耐熱、耐水加工を施した紙製の枠材を使用し、この枠材に耐熱性のプラスチック成型薄板を装着したもので、これによって、プラスチック消費量を半分以下に低減することができ、使用する紙材としては、板紙などの紙容器用の通常の紙材を任意の形態で使用でき、その紙材としては、例えば、外面に装飾加工を施し、内面に耐熱プラスチックコーティングを施した厚紙、あるいは、厚みのある２重折りにして、従来の発泡プラスチック製の枠材と同様の感触を付与したもの等を使用できることを特徴とするが、この案件を所定回数再使用した後に廃棄する時期が来たときに、耐熱プラスチックコーティングと厚紙との分別が大変だという消費者の声と、何回程度再使用に耐えるのかという消費者の不安感にたいして、この案件の耐久性に対する問題点を指摘されている。【０００８】  本考案は、上記の課題を解決するために成されたものであり、本考案の利用者が常時携行することができるほどコンパクトで、食材や食品などを提供する施設や料理を提供する施設などで利用する場合でも容器の形成が容易で、食材や食品や料理の移し入れや詰めての持ち帰りの後に、洗浄が容易で、繰り返しの使用に耐える、折畳み式携帯用食品容器の提供を目的とする。
また本考案は、耐熱性と耐水性と耐久性を備えたプラスチック製でありながら、エコロジー性と加工性を備え、本考案を再使用するときに殺菌処理が容易であることで利用者に安心感を与えることができる、折畳み式携帯用食品容器の提供を目的とする。
【課題を解決するための手段】
【００１０】  課題を解決するための第一の手段（請求項１）は、食材や食品や料理を提供する施設において、消費者が食材や食品や料理の一部を持ち帰るために使用する容器であり、前記容器が箱状になるような形成手段を設けたシート体より成り、前記シート体は所定形状で所定厚みに成るよう形成され、前記箱状形成手段が前記シート体に一つ以上設けた折曲げ線であり、前記折曲げ線の中から選択した一つ以上の折曲げ線を前記シート体を所定形状に折畳めるようにした折畳み手段として用いることを特徴とする、折畳み式携帯用食品容器を提供することである。【００１１】  課題を解決するための第一の手段で示した食材や食品や料理を提供する施設に関しては、食材に関しては、料理の材料となる食品を示す。また、食品に関しては、食べ物。特に、食べ物となる製品を示す。食料品（肉類、魚類、野菜類、果物、穀物類など、食べ物とする物や材料を示す。食物や食料とも表現する場合がある。）のことを示す場合もある。飲食物とも表現する場合もある。また、料理に関しては、食材や食品を切り整えて味付けをし、煮たり焼いたりして食べ物をこしらえることを示し、調理と同義語または同意語である。また、食材や食品を提供する施設に関しては、コンビニエンスストアやスーパーやデパートや食材販売店や食品販売店などでの食材や食品の売り場を示す。また、料理を提供する施設に関しては、レストラン（和・洋・中華・その他アジア・中東・中南米）、ホテル、デパート、旅館、イベント会場、コンベンション施設、各種式場（冠婚葬祭）、学校（小学校・中学校・高校・大学・専門学校）などでの料理を提供する場を示す。
課題を解決するための第一の手段で示した容器に関しては、形状が袋状のタイプも箱状のタイプも使用できる。
課題を解決するための第一の手段で示した箱状に関しては、方形の多面体の中から選択して用いればよく、また多角柱の中から選択して用いればよく、また球体状の中から選択して用いればよい。
課題を解決するための第一の手段で示したシート体に関しては、略０．２〜１ｍｍ厚の可撓性を備えた素材であれば利用できるが、耐水性、耐油性、費用対効果、耐久性、洗浄性を考慮すると、ＰＳ（ポリスチレン）フィルムまたはシート、ＰＳＰ（ポリスチレンペーパー）、ＰＰ（ポリプロピレン）フィルムまたはシート、ＰＥＴ（ポリエチレンテレフタラート）フィルムまたはシート、ＰＥ（ポリエチレン）フィルムまたはシート、塩化ビニールフィルムまたはシート、合成紙、ＰＶＡフィルムまたはシート、などのプラスチック系の基材を、組み立てると所定寸法の箱状に成るように設計し製作された金型または抜き型を用いて形成されたモノである。【００１２】  課題を解決するための第一の手段で示した折曲げ線に関しては、前記シート体の表面部または裏面部または両面の所定の位置に設けられた、所定の幅、所定の深さ、所定の長さで形成された、断面がＵ字状、Ｖ字状、Ｗ字状、凹状、凸状、の溝やスジであり、主に前記形状になるように設計された押し型や金型を用いてプレス成形されるが、前記形状の折曲げ線が形成できれば特に手段は選ばないものとする。
課題を解決するための第一の手段で示した前記シート体を所定形状に折畳めるようにすることに関しては、前記所定形状が、三角形でも方形でも多角形でも構わない。また前記所定形状が、ハンドバッグや手提げかばんやポケットに収納できる寸法であることが好ましい。【００１３】  課題を解決するための第二の手段（請求項２）は、前記箱状形成シート体が、前記の食材や食品や料理の一部を収納する箱状の底面である方形の底面部と、この底面部の第１の方向である一側に第１折曲げ線を介して設けた第１側面部と、この第１側面部の一側に第２折曲げ線を介して設けた第１フタ部と、この第１フタ部の一側に第３折曲げ線を介して設けた第１把手部と、この第１把手部には任意形状の第１切欠き部と、前記底面部の第２の方向である他側に第４折曲げ線を介して設けた第２側面部と、この第２側面部の他側に第５折曲げ線を介して設けた第２フタ部と、この第２フタ部の他側に第６折曲げ線を介して設けた第２把手部と、この第２把手部には任意形状の第２切欠き部と、前記底面部の第３の方向である一縁に第７折曲線を介して設けた第３側面部と、この第３側面部の一側に第８折曲げ線を介して設けた第１把手部保持部と、この第１把手部保持部に形成された第１スリットと、前記底面部の第４の方向である他縁に第９折曲げ線を介して設けた第４側面部と、この第４側面部の他側に第１０折曲げ線を介して設けた第２把手部保持部と、この第２把手部保持部に形成された第２スリットと、前記第１側面部と前記第３側面部を第１方向側に垂直に設けた第１１折曲げ線を介し第３方向側に垂直に設けた第１２折曲げ線を介して接続される第１山折り部と、この第１山折り部には前記箱状の内側に山折りさせる第１斜線と、前記第１側面部と前記第４側面部を第１方向側に垂直に設けた第１３折曲げ線を介し第４方向側に垂直に設けた第１４折曲げ線を介して接続される第２山折り部と、この第２山折り部には前記箱状の内側に山折りさせる第２斜線と第１方向側に第１５折曲げ線を介して設けた前記箱状を保持させる第１挿込み部と、前記第２側面部と前記第４側面部を第２方向側に垂直に設けた第１６折曲げ線を介し第４方向側に垂直に設けた第１７折曲げ線を介して接続される第３山折り部と、この第３山折り部には前記箱状の内側に山折りさせる第３斜線と、前記第２側面部と前記第３側面部を第２方向側に垂直に設けた第１８折曲げ線を介し第３方向側に垂直に設けた第１９折曲げ線を介して接続される第４山折り部と、この第４山折り部には前記箱状の内側に山折りさせる第４斜線と第２方向側に第２０折曲げ線を介して設けた前記箱状を保持させる第２挿込み部と、を有して成ることを特徴とする、課題を解決するための第一の手段に記載の折畳み式携帯用食品容器を提供することである。【００１４】  課題を解決するための第二の手段で示した方形の底面部に関しては、正方形でも長方形でも、どちらでも構わない。また前記第１側面部に関しては正方形でも長方形でも、どちらでも構わない。また前記第２側面部に関しては正方形でも長方形でも、どちらでも構わない。また前記第３側面部に関しては正方形でも長方形でも、どちらでも構わない。また前記第４側面部に関しては正方形でも長方形でも��どちらでも構わない。
課題を解決するための第二の手段で示した第１方向に関しては、図１、図２、図３、図４、図５、図７、図８、図９、図１０、においては右側を示す。また第２方向に関しては、図１、図２、図３、図４、図５、図７、図８、図９、図１０においては左側を示す。また第３方向に関しては、図１、図２、図３、図４、図５、図７、図８、図９、図１０、においては上側を示す。また第４方向に関しては、図１、図２、図３、図４、図５、図７、図８、図９、図１０、においては下側を示す。【００１５】  課題を解決するための第三の手段（請求項３）は、前記箱状形成シート体の折畳み手段が、該第２折曲げ線を用いて該第１側面部の内面と該第１フタ部の内面と該第１把手部の内面とが略同時に接するように折畳み、該第１５折曲げ線を用いて該第２山折り部の内面と該第１挿込み部の内面とが接するように折畳み、該第５折曲げ線を用いて該第２側面部の内面と該第２フタ部の内面と該第２把手部の内面とが略同時に接するように折畳み、該第２０折曲げ線を用いて該第４山折り部の内面と該第２挿込み部の内面とが接するように折畳み、該第８折曲げ線を用いて該第３側面部の内面と該第１把手部保持部の内面とが接するように折畳み、該第１０折曲げ線を用いて該第４側面部の内面と該第２把手部保持部の内面とが接するように折畳み、該第１２折曲げ線を用いて該第１山折り部の内面と該第１把手部保持部の外面とが接するように折畳み、該第１折曲げ線を用いて該底面部と該第１フタ部の外面と該第１把手部の外面とが略同時に接するように折畳み、該第１４折曲げ線を用いて該第１挿込み部の外面と該第２把手部保持部の外面とが接するように折畳み、該第１９折曲げ線を用いて該第２挿込み部の外面と該第１山折り部の外面とが接するように折畳み、該第４折曲げ線を用いて該第１側面部の外面と該第２フタ部の外面と該第２把手部の外面とが略同時に接するように折畳み、該第１７折曲げ線を用いて該第３山折り部の内面と該第２山折り部の外面とが接するように折畳み、該第１８折曲げ線と該第１１折曲げ線と該第７折曲げ線とを用いて該第４山折り部の外面と該第２側面部の外面とが接するように折畳み、該第１６折曲げ線と該第１３折曲げ線と該第９折曲げ線とを用いて該第３山折り部の外面と該第３側面部の外面とが接するように折畳む、ことを特徴とする、課題を解決するための第一の手段または課題を解決するための第二の手段に記載の折畳み式携帯用食品容器を提供することである。【００１６】  課題を解決するための第三の手段で示した内面に関しては、前記箱状形成シート体を組み立て箱状に形成した場合の内側の面を示す。
課題を解決するための第三の手段で示した外面に関しては、前記箱状形成シート体を組み立て箱状に形成した場合の外側の面を示す。【００１７】  課題を解決するための第四の手段（請求項４）は、前記シート体を前記所定形状に成るような折畳み手段を介して折畳んだシート折畳み体には、前記所定形状を保持するための手段を設けたことを特徴とする、課題を解決するための第一の手段及び課題を解決するための第三の手段に記載の折畳み式携帯用食品容器を提供することである。【００１８】  課題を解決するための第四の手段で示した保持手段に関しては、所定寸法のひも状でも、所定寸法のリング状のひも状でも、所定寸法の帯状でも、所定寸法のリング状の帯状でも、着脱自在手段を備えたテープ状、市販されている結束具、などの中から選択して用いればよい。また、前記保持手段に関しては、素材に抗菌性を持たせることが好ましい。【００１９】  課題を解決するための第五の手段（請求項５）は、前記シート体または前記シート折畳み体または前記箱状形成体を電子レンジで少なくとも１０秒以上殺菌処理することを可能にしかつ耐水性を有する素材で形成させたことを特徴とする、課題を解決するための第一の手段から課題を解決するための第四の手段のいずれかに記載の折畳み式携帯用食品容器を提供することである。【００２０】  課題を解決するための第五の手段で示した電子レンジに関しては、一般的には高周波による誘電加熱を利用した電気調理器として用いられているが、雑菌類や微生物が高周波によって殺菌されることが知られているので、本考案では家庭用または業務用の電子レンジを高周波殺菌装置として利用するものとする。
課題を解決するための第五の手段で示した少なくとも１０秒以上殺菌処理することに関しては、一般的には３０秒程度で雑菌が相当数殺菌されることが知られており、本考案ではその技術を使うものとする。
課題を解決するための第五の手段で示した素材に関しては、本考案では、耐水性、耐油性、を有しながら可撓性や電子レンジで少なくとも１０秒以上の照射に耐える必要があり、ＰＳ（ポリスチレン）製、ＰＳＰ（ポリスチレンペーパー）、ＰＰ（ポリプロピレン）製、ＰＥＴ（ポリエチレンテレフタラート）製、ＰＥ（ポリエチレン）製、塩化ビニール製、合成紙、ＰＶＡ製、の１０ｃｍ×１０ｃｍのフィルムまたはシートを、一般的に市販されている電子レンジで少なくとも６０秒程度の照射に十分耐えられることを見出し、本考案ではこの技術を利用するものとする。また、本考案では、ポリプロピレンがこれらの素材の中で比重が最も小さいにも係らず、強度が高く、吸湿性がなく、薬品に強い特色があり、さらに熱可塑性が高く、成型も容易なため容器として広く用いられており、食品容器に多く見られるという、汎用性の高さと耐久性の高さから、本考案では積極的に利用することが好ましい。
【考案の効果】
【００２１】  本考案の折畳み式携帯用食品容器を提供できることによって、以下の効果を奏する。
本考案がハンドバッグや手提げカバンやポケットに入るほど薄型でコンパクトに形成されるので、本考案の利用者は常時携行することができ、例えば、食材や食品などを提供する施設で、消費者が直接食材や食品を備え付けの使い捨てタイプの容器に入れるタイプの売り場においても、本考案の利用者はハンドバッグまたは手提げカバンまたはポケットの中から本考案を取り出し、容易に箱状に形成した容器の中に所望する食材や食品を入れて備え付けの使い捨てタイプの容器を使用することなくレジに行くことができ、清算後持ち帰った本考案を洗浄し乾燥することで、本考案の利用者は相当の回数繰り返して使用できることで、本来なら発生したであろう容器ゴミを処分することが軽減され環境問題に貢献できる。また、本考案の箱状容器を容易にシート体に展開し容易に折畳めることができるのでコンパクトになった本考案をハンドバッグまたは手提げカバンまたはポケットの中に収納し常時携行できるようになる。【００２２】  また、本考案がハンドバッグや手提げカバンやポケットに入るほど薄型でコンパクトに形成されるので、本考案の利用者は常時携行することができ、例えば、料理を提供する施設で、提供された料理の少なくとも一部を残す場合においても、本考案の利用者はハンドバッグまたは手提げカバンまたはポケットの中から本考案を取り出し、容易に箱状に形成した容器の中に持ち帰ることを選択した料理の少なくとも一部を入れて持ち帰ることができ、さらに使用後の本考案を洗浄し乾燥することで、本考案の利用者は相当の回数繰り返して使用できることで、本来なら発生したであろう相当量の料理ゴミを処分することが軽減され環境問題に貢献できる。また、本考案の箱状容器を容易にシート体に展開し容易に折畳めることができるのでコンパクトになった本考案をハンドバッグまたは手提げカバンまたはポケットの中に収納し常時携行できるようになる。【００２３】  また本考案は、耐熱性と耐水性と耐久性を備えたプラスチック製であり、相当の回数繰り返して使用できるようにしたことで、本考案を普及させることは、使い捨て容器の消費を減少させたり廃棄される料理の量を減少させることが可能になることで、本考案が一般的なプラスチック製品でありながら、エコロジー性を備えた折畳み式携帯用食品容器として提供できる。【００２４】  また、本考案を折畳んだ状態でも電子レンジによって殺菌処理することができるので、本考案の利用者は常時衛生的な折畳み式携帯用食品容器の提供を受ける事ができ、安心感を与えることができる。【００２５】  また、本考案を社会全体に普及させることによって、例えば食材や食品などを提供する施設で、消費者が直接食材や食品を備え付けの使い捨てタイプの容器に入れるタイプの売り場を管理する業者にとっては、包装の合理化、資材の省資源化がはかれ、消費者側にとっても、売り場で商品を包装してもらうために待つ時間が短くなるという効果を奏する。【００２６】  また、本考案を消費者が常時携行することで、消費者の環境問題に対するより一層の意識向上を図ったり、消費者に環境問題の改善をより一層実行させるようにすることで環境問題により一層貢献できるようにした折畳み式携帯用食品容器を提供できる。【０��２７】  また、本考案の利用者が十分満足できる回数を再使用した後に本考案の廃棄が必要だと判断したときには、本考案に設けた多数の折曲げ線を用いて折畳むことで簡単につぶすことが出来、捨てる際にも容積をとらず便利である。
【考案を実施するための最良の形態】
【００２８】  以下、本考案の折畳み式携帯用食品容器の実施の形態例について、図１〜図１４に基づいて説明する。
図１は本考案の折畳み式携帯用食品容器の組立て用の平面展開図であり、図２は本考案の折畳み式携帯用食品容器の組立説明図であり、図３は本考案の折畳み式携帯用食品容器の組立説明図であり、図４は本考案の折畳み式携帯用食品容器の組立説明図であり、図５は本考案の折畳み式携帯用食品容器の組立説明図であり、図６は本考案の折畳み式携帯用食品容器の組み立て完成状態を示す説明図であり、図７は本考案の折畳み式携帯用食品容器の折畳み用の平面展開図であり、図８は本考案の折畳み式携帯用食品容器の折畳み用説明図であり、図９は本考案の折畳み式携帯用食品容器の折畳み用説明図であり、図１０は本考案の折畳み式携帯用食品容器の折畳み用説明図であり、図１１は本考案の折畳み式携帯用食品容器の折畳み用説明図であり、図１２は本考案の折畳み式携帯用食品容器の折畳み用説明図であり、図１３は本考案の折畳み式携帯用食品容器の折畳み用説明図であり、図１４は本考案の折畳み式携帯用食品容器の最終折畳み状態の説明図である。
次に、実施例により本考案を具体的に示すが、本発明は下記実施例に限定されるものではない。
【実施例１】
【００２９】  図１から図６には本考案に係る折畳み式携帯用食品容器の一実施例が示されている。また、図１から図４に示した、Ｄ１は第１方向として、Ｄ２は第２方向として、Ｄ３は第３方向として、Ｄ４は第４方向として表示するものとする。図６に示したＢＸは、食材や食品や料理を提供する施設において、消費者が食材や食品や料理の一部を持ち帰るために使用する本考案に係る折畳み式携帯用食品容器の一実施例である箱状容器であり、箱状容器ＢＸは図６では組み立て完成状態として示されており、図１には箱状容器ＢＸの展開平面図である箱状形成シート体ＢＸ１が示され、箱状形成シート体ＢＸ１は図１に示されたように設計され製造した金型を用いてプレス手段を介して成形され、箱状形成シート体ＢＸ１は略０．５ｍｍ厚のポリプロピレンフィルムまたはシートより成り、箱状形成シート体ＢＸ１の箱状形成手段が箱状形成シート体ＢＸ１の表面または裏面に設けた折曲げ線Ｌ１からＬ２０と折曲げ線を変形（例えば、角度を変えるように）した形で形成した第１斜線ＯＬ１からＯＬ４を用いて箱状形成シート体ＢＸ１を折り曲げることで図６のように箱状容器ＢＸである折畳み式携帯用食品容器が形成される。【００３０】  図１に示す箱状形成シート体ＢＸ１の中心部には、前記の食材や食品や料理の一部を収納する箱状容器ＢＸの底面である方形の底面部Ｂ１が設けられ、この底面部Ｂ１の第１方向Ｄ１側に設けた第１折曲げ線Ｌ１を介して設けた第１側面部Ｂ２と、この第１側面部Ｂ２の第１方向Ｄ１側に設けた第２折曲げ線Ｌ２を介して設けた第１フタ部Ｂ３と、この第１フタ部Ｂ３の第１方向Ｄ１側に設けた第３折曲げ線Ｌ３を介して設けた第１把手部Ｂ４と、この第１把手部Ｂ４には細長方形状の第１切欠き部Ｂ４ｃと、底面部Ｂ１の第２方向Ｄ２側に設けた第４折曲げ線Ｌ４を介して設けた第２側面部Ｂ５と、この第２側面部Ｂ５の第２方向Ｄ２側に設けた第５折曲げ線Ｌ５を介して設けた第２フタ部Ｂ６と、この第２フタ部Ｂ６の第２方向Ｄ２側に設けた第６折曲げ線Ｌ６を介して設けた第２把手部Ｂ７と、この第２把手部Ｂ７には第１切欠き部Ｂ４ｃと同形になるよう形成させた第２切欠き部Ｂ７ｃと、底面部Ｂ１の第３方向Ｄ３側に設けた第７折曲線Ｌ７を介して設けた第３側面部Ｂ８と、この第３側面部Ｂ８の第３方向Ｄ３側に設けた第８折曲げ線Ｌ８を介して設けた第１把手部保持部Ｂ９と、この第１把手部保持部Ｂ９には第３方向Ｄ３側に切込みとして形成された第１スリットＢ９ｃと、底面部Ｂ１の第４方向Ｄ４側に設けた第９折曲げ線Ｌ９を介して設けた第４側面部Ｂ１０と、この第４側面部Ｂ１０の第４方向Ｄ４側に設けた第１０折曲げ線Ｌ１０を介して設けた第２把手部保持部Ｂ１１と、この第２把手部保持部Ｂ１１の第４方向Ｄ４側に切込みとして形成された第２スリットＢ１１ｃと、第１側面部Ｂ２と第３側面部Ｂ８の第１方向Ｄ１側に垂直に設けた第１１折曲げ線Ｌ１１を介し第３方向Ｄ３側に垂直に設けた第１２折曲げ線Ｌ１２を介して接続される第１山折り部Ｂ１２と、この第１山折り部Ｂ１２には箱状容器ＢＸの内側に山折りさせるために設ける第１斜線ＯＬ１と、第１側面部Ｂ２と第４側面部Ｂ１０を第１方向Ｄ１側に垂直に設けた第１３折曲げ線Ｌ１３��介し第４方向Ｄ４側に垂直に設けた第１４折曲げ線Ｌ１４を介して接続される第２山折り部Ｂ１３と、この第２山折り部Ｂ１３には箱状容器ＢＸの内側に山折りさせるために設ける第２斜線ＯＬ２と第１方向Ｄ１側に設けた第１５折曲げ線Ｌ１５を介して設けた箱状容器ＢＸを保持させるために設けた第１挿込み部Ｂ１４と、第２側面部Ｂ５と第４側面部Ｂ１０を第２方向Ｄ２側に垂直に設けた第１６折曲げ線Ｌ１６を介し第４方向Ｄ４側に垂直に設けた第１７折曲げ線Ｌ１７を介して接続される第３山折り部Ｂ１５と、この第３山折り部Ｂ１５には箱状容器ＢＸの内側に山折りさせるために設ける第３斜線ＯＬ３と、第２側面部Ｂ５と第３側面部Ｂ８を第２方向Ｄ２側に垂直に設けた第１８折曲げ線Ｌ１８を介し第３方向Ｄ３側に垂直に設けた第１９折曲げ線Ｌ１９を介して接続される第４山折り部Ｂ１６と、この第４山折り部Ｂ１６には箱状容器ＢＸの内側に山折りさせるために設ける第４斜線ＯＬ４と第２方向Ｄ２側に設ける第２０折曲げ線Ｌ２０を介して設けた箱状容器ＢＸを保持させるために設けた第２挿込み部Ｂ１７と、を有して成る。【００３１】  また図２には、箱状形成シート体ＢＸ１を第１折曲げ線Ｌ１から第２０折曲げ線Ｌ２０の中から、第２折曲げ線Ｌ２、第３折曲げ線Ｌ３、第５折曲げ線Ｌ５、第６折曲げ線Ｌ６、第８折曲げ線Ｌ８、第１０折曲げ線Ｌ１０、以外の折曲げ線を内側に浅く折った状態、第１斜線ＯＬ１、第２斜線ＯＬ２、第３斜線ＯＬ３、第４斜線ＯＬ４、を内側に山折りに浅く折った状態のシート体組立て中間体ＢＸ２を示している。
また図３には、シート体組立て中間体ＢＸ２の第１折曲げ線Ｌ１から第２０折曲げ線Ｌ２０の中から、第２折曲げ線Ｌ２、第３折曲げ線Ｌ３、第５折曲げ線Ｌ５、第６折曲げ線Ｌ６、第８折曲げ線Ｌ８、第１０折曲げ線Ｌ１０、以外の折曲げ線を内側にさらに深く折った状態、第１斜線ＯＬ１、第２斜線ＯＬ２、第３斜線ＯＬ３、第４斜線ＯＬ４、を内側に山折りにさらに深く折った状態で、第１山折り部Ｂ１２と第４山折り部Ｂ１６とが概ね折り重なった状態、第２山折り部Ｂ１３と第３山折り部Ｂ１５とが概ね折り重なった状態、第１側面部Ｂ２と第２側面部Ｂ５と第３側面部Ｂ８と第４側面部Ｂ１０が概ね立ち上がった状態を示し、その結果として開口部ＢＭが概ね形成された状態のシート体組立て中間体ＢＸ３を示している。
また図４には、シート体組立て中間体ＢＸ３よりもさらに、第１山折り部Ｂ１２と第４山折り部Ｂ１６とがほぼ折り重なった状態、第２山折り部Ｂ１３と第３山折り部Ｂ１５とがほぼ折り重なった状態、第１側面部Ｂ２と第２側面部Ｂ５と第３側面部Ｂ８と第４側面部Ｂ１０がほぼ立ち上がった状態を示し、その結果として開口部ＢＭがほぼ形成された状態であり、さらに、第２山折り部Ｂ１３と第３山折り部Ｂ１５とが折り重なった部位と第４側面部Ｂ１０との間に第１挿込み部Ｂ１４の大部分を差し込んだ状態と、第１山折り部Ｂ１２と第４山折り部Ｂ１６とが折り重なった部位と第４側面部Ｂ１０との間に第２挿込み部Ｂ１７の大部分を差し込んだ状態である、シート体組立て中間体ＢＸ４を示している。
また図５には、シート体組立て中間体ＢＸ４の第２折曲げ線Ｌ２、第３折曲げ線Ｌ３、第５折曲げ線Ｌ５、第６折曲げ線Ｌ６、を概ね直角に折曲げた状態、その結果として第１把手部Ｂ４の内面と第２把手部Ｂ７の内面同士を接触させようとしている状態、その結果として第１フタ部Ｂ３と第２フタ部Ｂ６が開口部ＢＭを概ね閉じようとしている状態の、シート体組立て中間体ＢＸ５を示している。
また図６には、シート体組立て中間体ＢＸ５の第２折曲げ線Ｌ２、第３折曲げ線Ｌ３、第５折曲げ線Ｌ５、第６折曲げ線Ｌ６、をほぼ直角に折曲げた状態、その結果として第１把手部Ｂ４の内面と第２把手部Ｂ７の内面同士を最終的に接触させた状態である箱状容器把手部ＢＧが形成され、箱状容器把手部ＢＧの一端部である箱状容器把手部ＢＧ１を第２スリットＢ１１ｃに嵌入し、箱状容器把手部ＢＧの他端部である箱状容器把手部ＢＧ２を第１スリットＢ９ｃに嵌入することで、箱状容器ＢＸの最終的な状態を示し、箱状を保持された状態の箱状容器ＢＸを示している。
【実施例２】
【００３２】  図７から図１３には本考案に係る折畳み式携帯用食品容器の一実施例が示されている。また、図７から図１０に示した、Ｄ１は第１方向として、Ｄ２は第２方向として、Ｄ３は第３方向として、Ｄ４は第４方向として表示するものとする。図１３に示したＢＳは、本考案の利用者が常時携帯するために図１に示した箱状形成シート体ＢＸ１を折畳んでハンドバッグまたは手提げカバンまたはポケットの中に収納し常時携行できるようにした状態の容器形成シート折畳み体として示されており、図７には容器形成シート折畳み体ＢＳの展開平面図である箱状形成シート体ＢＳ１が示され、箱状形成シート体ＢＳ１は図１に示した箱状形成シート体ＢＸ１を用いるものとする。すなわち、箱状形成シート体ＢＳ１の折畳み手段に、図１の箱状形成シート体ＢＸ１の、第１折曲げ線Ｌ１、第２折曲げ線Ｌ２、第３折曲げ線Ｌ３、第４折曲げ線Ｌ４、第５折曲げ線Ｌ５、第６折曲げ線Ｌ６、第７折曲げ線Ｌ７、第８折曲げ線Ｌ８、第９折曲げ線Ｌ９、第１０折曲げ線Ｌ１０、第１１折曲げ線Ｌ１１、第１２折曲げ線Ｌ１２、第１３折曲げ線Ｌ１３、第１４折曲げ線Ｌ１４、第１５折曲げ線Ｌ１５、第１６折曲げ線Ｌ１６、第１７折曲げ線Ｌ１７、第１８折曲げ線Ｌ１８、第１９折曲げ線Ｌ１９、第２０折曲げ線Ｌ２０、から選択した一つ以上の折曲げ線を用いることで図１３のような容器形成シート折畳み体ＢＳが形成される。【００３３】  図１及び図７から図１３の実施の形態の一例として、箱状形成シート体ＢＳ１の折畳み手段が、第２折曲げ線Ｌ２を用いて第１側面部Ｂ２の内面である第１側面部内面Ｂ２ａと第１フタ部Ｂ３の内面である第１フタ部内面Ｂ３ａと第１把手部Ｂ４の内面である第１把手部内面Ｂ４ａとが概ね同時に接するように折畳み、第１５折曲げ線Ｌ１５を用いて第２山折り部Ｂ１３の内面である第２山折り部内面Ｂ１３ａと第１挿込み部Ｂ１４の内面である第１挿込み部内面Ｂ１４ａ、とが接するように折畳み、第５折曲げ線Ｌ５を用いて第２側面部Ｂ５の内面である第２側面部内面Ｂ５ａと第２フタ部内面Ｂ６ａと第２把手部Ｂ７の内面である第２把手部内面Ｂ７ａとが概ね同時に接するように折畳み、第２０折曲げ線Ｌ２０を用いて第４山折り部Ｂ１６の内面である第４山折り部内面Ｂ１６ａと第２挿込み部Ｂ１７の内面である第２挿込み部内面Ｂ１７ａとが接するように折畳み、第８折曲げ線Ｌ８を用いて第３側面部Ｂ８の内面である第３側面部内面Ｂ８ａと第１把手部保持部Ｂ９の内面である第１把手部保持部内面Ｂ９ａとが接するように折畳み、第１０折曲げ線Ｌ１０を用いて第４側面部Ｂ１０の内面である第４側面部内面Ｂ１０ａと第２把手部保持部Ｂ１１の内面である第２把手部保持部内面Ｂ１１ａとが接するように折畳み、第１２折曲げ線Ｌ１２を用いて第１山折り部Ｂ１２の内面である第１山折り部内面Ｂ１２ａと第１把手部保持部Ｂ９の外面である第１把手部保持部外面Ｂ９ｂとが接するように折畳み、第１折曲げ線Ｌ１を用いて底面部Ｂ１と第１フタ部Ｂ３の外面である第１フタ部外面Ｂ３ｂと第１把手部Ｂ４の外面である第１把手部外面Ｂ４ｂとが概ね同時に接するように折畳み、第１４折曲げ線Ｌ１４を用いて第１挿込み部Ｂ１４の外面である第１挿込み部外面Ｂ１４��と第２把手部保持部Ｂ１１の外面である第２把手部保持部外面Ｂ１１ｂとが接するように折畳み、第１９折曲げ線Ｌ１９を用いて第２挿込み部Ｂ１７の外面である第２挿込み部外面Ｂ１７ｂと第１山折り部Ｂ１２の外面である第１山折り部外面Ｂ１２ｂとが接するように折畳み、第４折曲げ線Ｌ４を用いて第１側面部Ｂ２の外面である第１側面部外面Ｂ２ｂと第２フタ部Ｂ６の外面である第２フタ部外面Ｂ６ｂとが概ね同時に接するように折畳み、第１７折曲げ線Ｌ１７を用いて第３山折り部Ｂ１５の内面である第３山折り部内面Ｂ１５ａと第２山折り部Ｂ１３の外面である第２山折り部外面Ｂ１３ｂとが接するように折畳み、第１８折曲げ線Ｌ１８と第１１折曲げ線Ｌ１１と第７折曲げ線Ｌ７とを用いて第４山折り部Ｂ１６の外面である第４山折り部外面Ｂ１６ｂと第２側面部Ｂ５の外面である第２側面部外面Ｂ５ｂとが接するように折畳み、第１６折曲げ線Ｌ１６と第１３折曲げ線Ｌ１３と第９折曲げ線Ｌ９とを用いて第３山折り部Ｂ１５の外面である第３山折り部外面Ｂ１５ｂと第３側面部Ｂ８の外面である第３側面部外面Ｂ８ｂとが接するように折畳むことで、図７に示した箱状形成シート体ＢＳ１が図１３に示した容器形成シート折畳み体ＢＳとなる。
【実施例３】
【００３４】  図１３と図１４には本考案に係る折畳み式携帯用食品容器の一実施例が示されている。ＧＢは容器形成シート折畳み体ＢＳの結束具であり、結束具ＧＢで容器形成シート折畳み体ＢＳを結束することで、容器形成シート折畳み体ＢＳの形状は保持され、携行時の携帯性が向上する。また、結束具ＧＢはこの実施例では市販のゴムバンドを用いている。ただし、結束具ＧＢで結束した容器形成シート折畳み体ＢＳを携行するか、結束具ＧＢを用いないで容器形成シート折畳み体ＢＳを携行するかは、本考案に係る折畳み式携帯用食品容器の利用者または購入者の判断に任せられる。
【産業上の利用可能性】
【００３７】  本考案に係る折畳み式携帯用食品容器は、薄型でコンパクトであるため災害時用の保存容器として、食材や食品や料理や飲食物などの保管用として輸送用として用いることを可能とするため、産業上の利用可能性は大きいと判断することができる。
【図面の簡単な説明】
【００３８】
【図１】本考案の折畳み式携帯用食品容器の組立て用の平面展開図である。
【図２】本考案の折畳み式携帯用食品容器の組立説明図である。
【図３】同折畳み式携帯用食品容器の組立説明図である。
【図４】同折畳み式携帯用食品容器の組立説明図である。
【図５】同折畳み式携帯用食品容器の組立説明図である。
【図６】同折畳み式携帯用食品容器の最終組立状態の説明図である。
【図７】本考案の折畳み式携帯用食品容器の折畳み用の平面展開図である。
【図８】本考案の折畳み式携帯用食品容器の折畳み用説明図である。
【図９】同折畳み式携帯用食品容器の折畳み用説明図である。
【図１０】同折畳み式携帯用食品容器の折畳み用説明図である。
【図１１】同折畳み式携帯用食品容器の折畳み用説明図である。
【図１２】同折畳み式携帯用食品容器の折畳み用説明図である。
【図１３】同折畳み式携帯用食品容器の折畳み用説明図である。
【図１４】同折畳み式携帯用食品容器の最終折畳み状態の説明図である。
【符号の説明】
【００３９】Ｄ１：第１方向、Ｄ２：第２方向、Ｄ３：第３方向、Ｄ４：第４方向
ＢＸ：箱状容器、ＢＸ１：箱状形成シート体、ＢＸ２：シート体組立て中間体
ＢＸ３：シート体組立て中間体、ＢＸ４：シート体組立て中間体
ＢＸ５：シート体組立て中間体
Ｌ１：第１折曲げ線、Ｌ２：第２折曲げ線、Ｌ３：第３折曲げ線
Ｌ４：第４折曲げ線、Ｌ５：第５折曲げ線、Ｌ６：第６折曲げ線
Ｌ７：第７折曲げ線、Ｌ８：第８折曲げ線、Ｌ９：第９折曲げ線
Ｌ１０：第１０折曲げ線、Ｌ１１：第１１折曲げ線、Ｌ１２：第１２折曲げ線
Ｌ１３：第１３折曲げ線、Ｌ１４：第１４折曲げ線、Ｌ１５：第１５折曲げ線
Ｌ１６：第１６折曲げ線、Ｌ１７：第１７折曲げ線、Ｌ１８：第１８折曲げ線
Ｌ１９：第１９折曲げ線、Ｌ２０：第２０折曲げ線
ＯＬ１：第１斜線、ＯＬ２：第２斜線、ＯＬ３：第３斜線、ＯＬ４：第４斜線
Ｂ１：底面部、Ｂ２：第１側面部、Ｂ３：第１フタ部、Ｂ４：第１把手部
Ｂ４ｃ：第１切欠き部、Ｂ５：第２側面部、Ｂ６：第２フタ部
Ｂ７：第２把手部、Ｂ７ｃ：第２切欠き部、Ｂ８：第３側面部
Ｂ９：第１把手部保持部、Ｂ９ｃ：第１スリット、Ｂ１０：第４側面部
Ｂ１１：第２把手部保持部、Ｂ１１ｃ：第２スリット、Ｂ１２：第１山折り部
Ｂ１３：第２山折り部、Ｂ１４：第１挿込み部、Ｂ１５：第３山折り部
Ｂ１６：第４山折り部、Ｂ１７：第２挿込み部、ＢＭ：開口部
ＢＧ：箱状容器把手部、ＢＧ１：箱状容器把手部、ＢＧ２：箱状容器把手部
ＢＳ：容器形成シート折畳み体、ＢＳ１：箱状形成シート体、
Ｂ２ａ：第１側面部内面、Ｂ３ａ：第１フタ部内面、Ｂ４ａ：第１把手部内面
Ｂ１３ａ：第２山折り部内面、Ｂ１４ａ第１挿込み部内面
Ｂ５ａ：第２側面部内面、Ｂ６ａ：第２フタ部内面、Ｂ７ａ：第２把手部内面
Ｂ１６ａ：第４山折り部内面、Ｂ１７ａ：第２挿込み部内面
Ｂ８ａ：第３側面部内面、Ｂ９ａ：第１把手部保持部内面
Ｂ１０ａ：第４側面部内面、Ｂ１１ａ：第２把手部保持部内面
Ｂ１２ａ：第１山折り部内面、Ｂ１５ａ：第３山折り部内面
Ｂ９ｂ：第１把手部保持部外面、Ｂ３ｂ：第１フタ部外面
Ｂ４ｂ：第１把手部外面、Ｂ１４ｂ：第１挿込み部外面、
Ｂ１１ｂ：第２把手部保持部外面、Ｂ１７ｂ：第２挿込み部外面
Ｂ１２ｂ：第１山折り部外面、Ｂ２ｂ：第１側面部外面
Ｂ６ｂ：第２フタ部外面、Ｂ１３ｂ：第２山折り部外面
Ｂ１６ｂ：第４山折り部外面、Ｂ１５ｂ：第３山折り部外面
Ｂ８ｂ：第３側面部外面、ＧＢ：結束具
【図１】
0003148783.tif 000003
【図２】
0003148783.tif 000004
【図３】
0003148783.tif 000005
【図４】
0003148783.tif 000006
【図５】
0003148783.tif 000007
【図６】
0003148783.tif 000008
【図７】
0003148783.tif 000009
【図８】
0003148783.tif 000010
【図９】
0003148783.tif 000011
【図１０】
0003148783.tif 000012
【図１１】
0003148783.tif 000013
【図１２】
0003148783.tif 000014
【図１３】
0003148783.tif 000015
【図１４】
0003148783.tif 000016